(57)【特許請求の範囲】
【請求項１】
下方柱体の上端部とこの下方柱体に継がれる上方柱体の下端部とに連結されて上方柱体における垂直度の調整を可能にする建入れ調整装置において、本体部を構成するハウジングの下端に下方柱体の上端部に分離可能に連結される下方ブラケットを有すると共に、このハウジングに枢支されて水平方向に回動可能とされる出力軸および二本の入力軸とを有してなり、ハウジングの上端から突出する出力軸における螺条部の上端側に上方ブラケットが分離可能に螺着されてなる一方で、一方の入力軸がギア体の介在下に他方の入力軸に連繋すると共に他方の入力軸がギア体の介在下に出力軸に連繋してなり、一方の入力軸が出力軸の低速回転用に設定されると共に他方の入力軸が出力軸の高速回転用に設定されてなることを特徴とする建入れ調整装置
【発明の詳細な説明】
【０００１】
【発明の属する技術分野】
この発明は、構築物を構築するにあって鉄骨製の柱体を建込む際の建入れ直しに利用する建入れ調整装置の改良に関する。
【０００２】
【従来の技術】
周知のように、およそ構築物を構成する柱体は、多くの場合に、その建込みの際に建入れ直しと称される作業で垂直状態になるように調整されるが、この建入れ直しを鉄骨製の柱体に対して行う場合には、旧来、ワイヤロープとレバーブロックなどのウインチ類とを利用した方策が汎用されていた。
【０００３】
しかし、この方策による場合には、いわゆるダメ工事を誘発するとか、いわゆる手間が掛るとかの不具合があることから、これに代わる種々の建入れ調整装置がこれまでに提案されている。
【０００４】
その中で、たとえば、図４に示す提案にあっては、建入れ調整装置が下方柱体Ｐ１の上端部とこの下方柱体Ｐ１に継がれる上方柱体Ｐ２の下端部とに連結されて上方柱体Ｐ２における垂直度の調整を可能にするとしている。
【０００５】
この提案について少し説明すると、まず、下方柱体Ｐ１の上端部と上方柱体Ｐ２の下端部には、それぞれ一枚の板状体からなるエレクションピースＥ１，Ｅ２が溶接などで一体に連設されていて、この各エレクションピースＥ１，Ｅ２を利用することで本装置の連結を実現するとしている。
【０００６】
つぎに、建入れ調整装置は、言わば本体部（符示せず）を構成するハウジングＨの下端に二股状に形成の下方ブラケットＢ１を有してなり、この下方ブラケットＢ１が下方柱体Ｐ１の上端部となる下方のエレクションピースＥ１に連結ピンなどの適宜の連結具Ｃを利用して分離可能に連結されるとしている。
【０００７】
一方、この建入れ調整装置は、本体部の中央部に、すなわち、ハウジングＨの中央部ギア状に形成されて外部からの操作力で水平方向に回動する回動体Ｄを有すると共に、この回動体Ｄの軸芯部に螺装されて回動体Ｄの回動時に回動体Ｄに対して上下方向に昇降する、すなわち、ハウジングＨに対して出没する螺条ロッドＲを有してなる。
【０００８】
そして、この螺条ロッドＲの上端に上記の下方ブラケットＢ１と同様に二股状に形成の上方ブラケットＢ２を有してなり、この上方ブラケットＢ２が上方柱体Ｐ２の下端部となる上方のエレクションピースＥ２に上記と同じく連結ピンなどの適宜の連結具Ｃを利用して分離可能に連結されるとしている。
【０００９】
ちなみに、図示しないが、回動体Ｄは、ハウジングＨの外部からの適宜の駆動手段としての、たとえば、ウォームによる操作力で回動するように設定されている。
【００１０】
それゆえ、この建入れ調整装置にあっては、回動体Ｄが回動されることで螺条ロッドＲの、すなわち、上方ブラケットＢ２の昇降が可能になり、したがって、下方柱体Ｐ１に継がれる上方柱体Ｐ２の昇降が可能になる。
【００１１】
そして、この建入れ調整装置を、たとえば、図３を借りて説明すると、下方柱体Ｐ１（図示せず）と上方柱体Ｐ２の連続部分における水平方向の四個所に配設すると共に、選択された建入れ調整装置において上方柱体Ｐ２の昇降を実行することで、上方柱体Ｐ２を垂直状態に調整することが可能になる。
【００１２】
【発明が解決しようとする課題】
しかしながら、上記した従来提案とされる建入れ調整装置にあっては、螺条ロッドＲにおけるネジピッチおよびネジ径が単一とされているから、その設定如何によっては、極めて使い勝手が悪くなると指摘される危惧がある。
【００１３】
すなわち、この建入れ調整装置が利用される実情を考慮すると、螺条ロッドＲのネジピッチを小さくし、加えてネジ径を大きくするように設定すれば、螺条ロッドＲに上方柱体Ｐ２からの大きい荷重が作用している場合にも、回動体Ｄの回動を容易にしながら螺条ロッドＲの上昇を、すなわち、上方柱体Ｐ２の上昇を可能にし得る。
【００１４】
しかしながら、ネジピッチが小さいがゆえに、螺条ロッドＲに大きい荷重が作用していない場合に、すなわち、いわゆるストローク調整をする場合に素早く螺条ロッドＲの上昇させることが困難になる。
【００１５】
一方、螺条ロッドＲの昇降速度を速くするには、少なくとも、ネジピッチを大きく設定すれば良いが、この場合には、螺条ロッドＲに大きい荷重が作用することになったときに、回動体Ｄを容易に回動し得なくなる。
【００１６】
ちなみに、ネジピッチを大きく設定するときに、加えてネジ径を小さくするように設定すれば、理論的には一層の高速化が望めることになるが、その際には、回動体Ｄへの操作力を一層大きくする必要を生じる。
【００１７】
それゆえ、上記の建入れ調整装置にあっては、螺条ロッドＲに作用する荷重の大きさと螺条ロッドＲの昇降速度、すなわち、回動体Ｄに対する操作力との兼ね合いから、言わば妥協点となるネジピッチおよびネジ径を選択せざるを得ないことになる。
【００１８】
その結果、結局は、回動体Ｄに対する操作力をいたずらに大きく設定できないから、螺条ロッドＲにおけるネジピッチを小さくする傾向に、すなわち、螺条ロッドＲの昇降速度が遅くなる傾向に設定されることになり、長いストロークを素早く調整することが困難になり、使い勝手が悪いと指摘されることになる。
【００１９】
この発明は、上記した事情を鑑みて創案されたものであって、その目的とするところは、鉄骨製の柱体の建入れ作業を迅速に実現し得るようにして、構築工事における工期の短縮化に寄与し、その汎用性の向上を期待するのに最適となる建入れ調整装置を提供することである。
【００２０】
【課題を解決するための手段】
上記した目的を達成するために、この発明による建入れ調整装置の構成を、基本的には、下方柱体の上端部とこの下方柱体に継がれる上方柱体の下端部とに連結されて上方柱体における垂直度の調整を可能にする建入れ調整装置において、本体部を構成するハウジングの下端に下方柱体の上端部に分離可能に連結される下方ブラケットを有すると共に、このハウジングに枢支されて水平方向に回動可能とされる出力軸および二本の入力軸とを有してなり、ハウジングの上端から突出する出力軸における螺条部の上端側に上方ブラケットが分離可能に螺着されてなる一方で、一方の入力軸がギア体の介在下に他方の入力軸に連繋すると共に他方の入力軸がギア体の介在下に出力軸に連繋してなり、一方の入力軸が出力軸の低速回転用に設定されると共に他方の入力軸が出力軸の高速回転用に設定されてなるとする。
【００２１】
【発明の実施の形態】
以下に、図示した実施の形態に基づいて、この発明を説明するが、図１に示すように、図示する実施の形態による建入れ調整装置にあっても、前記した図４に示す従来の建入れ調整装置と同様に、下方柱体Ｐ１の上端部と上方柱体Ｐ２の下端部にそれぞれ溶接などで一体に連設されている一枚の板状体からなるエレクションピースＥ１，Ｅ２を利用することでその下方柱体Ｐ１および上方柱体Ｐ２への連結を実現するとしている。
【００２２】
それゆえ、この建入れ調整装置にあっても、言わば本体部（符示せず）を構成するハウジングＨの下端に二股状に形成の下方ブラケットＢ１を有してなり、この下方ブラケットＢ１が下方柱体Ｐ１の上端部となる下方のエレクションピースＥ１に連結ピンなどの適宜の連結具Ｃを利用して分離可能に連結されるとしている。
【００２３】
そして、この建入れ調整装置にあっても、上方柱体Ｐ２の下端部となる上方のエレクションピースＥ２に連結ピンなどの適宜の連結具Ｃを利用して分離可能に連結される上方ブラケットＢ２を有してなるが、この上方ブラケットＢ２も上記の下方ブラケットＢ１と同様に二股状に形成されている。
【００２４】
ちなみに、上方ブラケットＢ２は、図示する実施の形態では、後述する出力軸１に対して分離可能に連繋されてなるとするもので、軸芯部に出力軸１における螺条部１ａの上端側の螺入を許容する螺条穴（図示せず）を有している。
【００２５】
なお、下方ブラケットＢ１および上方ブラケットＢ２は、図示する実施の形態では、各エレクションピースＥ１，Ｅ２がそれぞれ一枚の板状体からなることから、それぞれが二股状に形成されてなるとしているが、所定の連結が実現される限りには、各エレクションピースＥ１，Ｅ２の態様が変更されることに応じてそれぞれが相応する態様に変更されるなど、任意に設定されても良いのはもちろんである。
【００２６】
ところで、本体部について看ると、外観上では、ハウジングＨの上端から上方に向けて一本の出力軸１における螺条部１ａが長く突出すると共に、ハウジングＨの上端に二本の入力軸２，３における軸頭２ａ，３ａが突出するとしている。
【００２７】
このとき、出力軸１における螺条部１ａの上端側が上方ブラケットＢ２に分離可能に螺入されてなる（図２参照）とするから、図示しないが、仮に、上方のエレクションピースＥ２が別の態様とされ、その結果、上方ブラケットＢ２の態様が異なる事態になっても、上方ブラケットＢ２が出力軸１における螺条部１ａの上端側の螺入を許容する螺条穴を有するように形成されている限りにおいて、この建入れ調整装置を利用し得ることになり、また、上方ブラケットＢ２に摩耗やその他の変形などが招来された場合の交換をも可能にする点で有利となる。
【００２８】
また、二本の入力軸２，３は、軸頭２ａ，３ａがナット状に形成されていて、ラチェットやスパナなどの適宜の工具、あるいは、専用のハンドルを利用して回動し得るように設定されており、その下端がハウジングＨの下端からわずかに突出してなるとしている。
【００２９】
ちなみに、図示する実施の形態にあって、二本の入力軸２，３における各軸頭２ａ，３ａは、それぞれが同じ大きさに形成されていて、たとえば、専用ハンドルを利用する場合に、その兼用を可能にするように設定されている。
【００３０】
一方、本体部の構成を看ると、二本の入力軸２，３は、同じ速度で回転されるときに、一方が出力軸１を低速で回転させるのに対して、他方が出力軸１を高速で回転させるように設定されてなるとしており、図示する実施の形態では、入力軸２が言わば低速回転用とされ、入力軸３が高速回転用とされている。
【００３１】
ちなみに、入力軸２が低速回転用とされ、入力軸３が高速回転用とされるについては、図示しないが、多くの場合に、その旨が、たとえば、ハウジングＨの上端面などに刻印などされることで表示されるであろう。
【００３２】
ところで、出力軸１および二本の入力軸２，３は、図２に示すように、それぞれが上下となるベアリング４および５，６の介在下にハウジングＨに枢支されている。
【００３３】
このとき、出力軸１は、螺状部１ａの下端に一体に連続する軸部１ｂがハウジングＨ内に臨在されてなるとし、二本の入力軸２，３もそれぞれ軸頭２ａ，３ａの下端に一体に連続する軸部２ｂ，３ｂがハウジングＨ内に臨在されてなるとしている。
【００３４】
この状態で、出力軸１は、軸部１ｂにおける下端寄りの外周にギヤ体７を一体に、すなわち、図示しないが、たとえば、キー構造下に有してなるとし、また、入力軸２は、軸部２ｂにおける上端寄りの外周にギヤ体８を、同じくキー構造下に一体に有してなるとしている。
【００３５】
そして、入力軸３は、軸部３ｂにおける下端寄りの外周に上記したギヤ体７に噛合するギヤ体９を、また、軸部３ｂにおける上端寄りの外周に上記したギヤ体８に噛合するギヤ体１０を、同じくキー構造下に一体に有してなるとしている。
【００３６】
このとき、出力軸１におけるギヤ体７は、これに噛合する入力軸３におけるギヤ体９よりも大径となるように設定され、また、入力軸２におけるギヤ体８は、これに噛合する入力軸３におけるギヤ体１０よりも小径となるように設定されてなるとしている。
【００３７】
そして、入力軸３において、言わば上方のギヤ体１０は、言わば下方のギヤ体９よりも大径となるように設定されてなるとしている。
【００３８】
それゆえ、入力軸２を回動すると、ギヤ体８とギヤ体１０の噛合で入力軸３が回動され、このとき同期して回動するギヤ体９とギヤ体７の噛合で出力軸１が回動することになる。
【００３９】
それに対して、入力軸３を直接回動すると、ギヤ体９とギヤ体７の噛合で出力軸１が回動することになり、このとき、入力軸３を回動する速度が入力軸２を回動する場合の速度と同じであれば、入力軸３を回動することによる出力軸１の回動速度は、入力軸２を回動することによる出力軸１の回動速度に比較して、言わば速いことになる。
【００４０】
その結果、出力軸１の回動速度を速くして、上方ブラケットＢ２を速やかに昇降させたいときには、入力軸３を回動すれば良く、逆に、出力軸１の回動速度を遅くして、上方ブラケットＢ２をゆっくりと昇降させたいときには、入力軸２を回動すれば良いことになる。
【００４１】
ちなみに、入力軸３を回動する際には、入力軸２が言わば空回りすることになるが、入力軸３における場合を含めて、入力軸２の軸頭２ａに専用のハンドルなどが常設されていないから、入力軸２の空回りがいわゆる弊害をもたらす危惧はない。
【００４２】
また、各入力軸２，３の回動方向と上方ブラケットＢ２の昇降の関係については、図示しないが、多くの場合に、たとえば、ハウジングＨの上端面に各入力軸２，３における回動方向を示す矢印と、各回動方向に相応する上方ブラケットＢ２の昇降を示す文字が刻印などされて表示されるであろう。
【００４３】
以上のように形成されたこの実施の形態による建入れ調整装置は、下方ブラケットＢ１を介して下方柱体Ｐ１の上端部と上方ブラケットＢ２を介して上方柱体Ｐ２の下端部とに連結されて利用状態におかれる。
【００４４】
このときに、下方ブラケットＢ１が下方柱体Ｐ１に連設の下方のエレクションピースＥ１に連結具Ｃの利用で連結されているのに対して、上方ブラケットＢ２がいわゆるストロークの過不足で上方柱体Ｐ２に連設の上方のエレクションピースＥ２に連結し得ない状態にある場合には、入力軸２あるいは入力軸３を回動して上方ブラケットＢ２を昇降させることで、長いストロークを調整することが可能になる。
【００４５】
ちなみに、この実施の形態では、上方ブラケットＢ２は出力軸１に螺装されているから、上記した入力軸２あるいは３の回動に代えて、出力軸１における螺条部１ａが上方ブラケットＢ２から分離されない限りにおいて、上方ブラケットＢ２を直接回動することで、上記のストローク調整を実現し得ることになる。
【００４６】
そして、上方ブラケットＢ２が連結具Ｃの利用で上方のエレクションピースＥ２に連結された後であって、しかも、上方柱体Ｐ２を昇降させる場合には、入力軸２を回動することで、上方ブラケットＢ２の微幅での昇降を実現する。
【００４７】
このとき、この建入れ調整装置にあっては、低速回転用の入力軸２と高速回転用の入力軸３とが別個に設けられているから、いわゆる誤操作の危惧がなく、円滑に所望の調整作業を具現化できることになる。
【００４８】
上記の建入れ調整装置を利用した上方柱体Ｐ２の昇降調整、すなわち、上方柱体Ｐ２の建入り直しは、多くの場合に、図３に示すように、下方柱体Ｐ１（図示せず）と上方柱体Ｐ２の連続部分の、たとえば、水平四方向に配設された建入れ調整装置（図中に符号Ａで示す）の中から選択された建入れ調整装置において実行される。
【００４９】
そして、この建入れ調整装置の利用、すなわち、入力軸２，３の回動操作は、これが手動で実行されるとする場合には、いわゆる駆動源がない場合にもその利用が可能になり、また、これが電動モータなどで実行されるとする場合には、いわゆる遠隔操作が可能になり、作業者が高所作業をする機会を大幅に減少させ得ることになる。
【００５０】
また、この建入れ調整装置にあっては、建入れ直しが終了したときに、その作動を停止したままの状態に維持すれば、上方柱体Ｐ２における建入れ直しをした状態のままで、その後のボルト締めやリベット打ちなどによる梁材や斜材の連結を可能にして、所望の固定状態を具現化できることになる。
【００５１】
前記したところは、この発明を構築物の構築の際における建入れ直しと称される作業に利用する建入れ調整装置として説明したが、その構成の要旨とするところを勘案すると、たとえば、ジャッキなどに具現化されるとしても良いこともちろんで、その場合の作用効果も異なるものでないことはもちろんである。
【００５２】
【発明の効果】
以上のように、この発明にあっては、本体部を構成するハウジングに枢支されて水平方向に回動可能とされる出力軸および二本の入力軸を有してなり、ハウジングの上端から突出する出力軸における螺条部の上端側に上方ブラケットが分離可能に螺着されてなる一方で、一方の入力軸がギア体の介在下に他方の入力軸に連繋すると共に他方の入力軸がギア体の介在下に出力軸に連繋してなり、一方の入力軸が出力軸の低速回転用に設定されると共に他方の入力軸が出力軸の高速回転用に設定されてなるとするから、上方ブラケットを速やかに昇降させたいときには、高速回転用とされる他方の入力軸を回動すれば良く、逆に、上方ブラケットをゆっくりと昇降させたいときには、低速回転用とされる一方の入力軸を回動すれば良いことになる。
【００５３】
このとき、上方ブラケットが出力軸に分離可能に螺着されているから、上方ブラケットに摩耗やその他の変形などが招来された場合の交換を可能にするのはもちろんのこと、入力軸の回動に代えて、出力軸における螺条部が上方ブラケットから分離されない限りにおいて、上方ブラケットを直接回動することで、長いストロークを素早く調整し得ることになる。
【００５４】
そして、上方ブラケットが上方柱体の下端部に連結されている状態から、上方柱体を昇降させる場合に、低速回転用の入力軸と高速回転用の入力軸とが別個に設けられているから、いわゆる誤操作の危惧がなく、円滑に所望の調整作業を具現化できることになる。
【００５５】
そまた、低速回転用の入力軸を回動する際に高速回転用の入力軸が、また、高速回転用の入力軸を回動する際に低速回転用の入力軸がそれぞれ言わば空回りすることになるが、各入力軸の軸頭に専用ハンドルなどが常設されていないから、各入力軸における空回りがいわゆる弊害をもたらす危惧がない。
【００５６】
そして、この発明にあっては、建入れ調整装置が上方柱体と下方柱体との連結部分に配在されるから、上方柱体の上端部と施工階の床面との間に斜めにワイヤロープなどが展張される従来の方策に比較して、建入れ調整装置が他の作業の支障になったり、いわゆるダメ工事を招来させたりしないことになる。
【００５７】
そして、この発明にあっては、入力軸の回動用の駆動源がない場合の利用を可能にするのはもちろんんのこと、モータなどを利用する場合には、遠隔操作を可能にして高所作業に伴うことがある作業者における危険をあらかじめ排除できることになる。
【００５８】
その結果、この発明によれば、鉄骨製の柱体の建入れ作業を迅速に実現し得るようにして、構築工事における工期の短縮化に寄与し、その汎用性の向上を期待するのに最適となる。
【図面の簡単な説明】
【図１】この発明の一実施の形態による建入れ調整装置を上方柱体と下方柱体との連結部分に連繋した状態で示す立面図である。
【図２】図１の建入れ調整装置を拡大して示す縦断面図である。
【図３】図１の建入れ調整装置の平面視での利用状態を示す概略図である。
【図４】従来例としての建入れ調整装置を一部破断して図１と同様に示す図である。
【符号の説明】
１  出力軸
１ａ  螺条部
１ｂ，２ｂ，３ｂ  軸部
２，３  入力軸
４，５，６  ベアリング
７，８，９，１０  ギア体
Ｂ１  下方ブラケット
Ｂ２  上方ブラケット
Ｃ  連結具
Ｅ１，Ｅ２  エレクションピース
Ｈ  ハウジング
Ｐ１  下方柱体
Ｐ２  上方柱体
【図１】
0003695734.tif 000002
【図２】
0003695734.tif 000003
【図３】
0003695734.tif 000004
【図４】
0003695734.tif 000005